(57)【特許請求の範囲】
【請求項１】
軒樋前耳保持部と軒樋後耳保持部の間に長孔を形成してなる樋支持具本体と、軒先に固定される取付杆とを、前記樋支持具本体の前記取付杆に対する出具合を前記長孔に沿ってスライドして調整できるように連結した軒樋吊り具において、
前記取付杆は前端部に係合部を備えている一方、前記樋支持具本体は前記係合部が係合する係合受部を備えており、
前記係合部が前記長孔に上方より嵌挿された状態で、前記取付杆と前記樋支持具本体とが前記長孔に沿って相互にスライド自在となる一方、前記係合部が前記係合受部に係合することでスライドがロック状態となることを特徴とする軒樋吊り具。
【請求項２】
請求項１において、
前記取付杆の前端部に、幅方向に突出した抜け止め部が形成されている、軒樋吊り具。
【請求項３】
請求項１または２において、
前記係合部、前記係合受部のうちの一方が圧入部を備え、他方が該圧入部が圧入される凹部を備えている、軒樋吊り具。
【請求項４】
請求項１〜３のいずれか１項において、
前記係合部および前記係合受部のそれぞれは、相互に噛合する噛合部を備えている、軒樋吊り具。
【発明の詳細な説明】
【技術分野】
【０００１】
本発明は、樋支持具本体の取付杆に対する出具合を長孔に沿ってスライドして調整できるように、樋支持具本体および取付杆を連結、分離自在とした軒樋吊り具に関する。
【背景技術】
【０００２】
従来、この種の軒樋吊り具として、樋支持具本体および取付杆を結合軸で連結し、その結合軸のスライド移動と、スライドのロックとを操作体を用いてできるようにしたものが提案されている（たとえば、特許文献１参照）。
【先行技術文献】
【特許文献】
【０００３】
【特許文献１】特開２０１１−２３３８２５号公報
【発明の概要】
【発明が解決しようとする課題】
【０００４】
しかしながら、上記従来の軒樋吊り具は、樋支持具本体および取付杆のほかに、リベット等よりなる結合軸と、つまみ操作ができる操作体とを必要とするため、製造コストが嵩んでいた。
【０００５】
本発明は、このような事情を考慮して提案されたもので、その目的は、部品点数を少なくして低コスト化でき、軒先等への施工も簡単に行える軒樋吊り具を提供することにある。
【課題を解決するための手段】
【０００６】
上記目的を達成するために、請求項１に記載の軒樋吊り具は、軒樋前耳保持部と軒樋後耳保持部の間に長孔を形成してなる樋支持具本体と、軒先に固定される取付杆とを、樋支持具本体の取付杆に対する出具合を長孔に沿ってスライドして調整できるように連結した軒樋吊り具において、取付杆は前端部に係合部を備えている一方、樋支持具本体は係合部が係合する係合受部を備えており、係合部が長孔に上方より嵌挿された状態で、取付杆と樋支持具本体とが長孔に沿って相互にスライド自在となる一方、係合部が係合受部に係合することでスライドがロック状態となることを特徴とする。
【０００７】
請求項２に記載の軒樋吊り具は、取付杆の前端部に、幅方向に突出した抜け止め部が形成されていることを特徴とする。
【０００８】
請求項３に記載の軒樋吊り具は、係合部、係合受部のうちの一方が圧入部を備え、他方が該圧入部が圧入される凹部を備えていることを特徴とする。
【０００９】
請求項４に記載の軒樋吊り具は、係合部および係合受部のそれぞれが、相互に噛合する噛合部を備えていることを特徴とする。
【発明の効果】
【００１０】
請求項１に記載の軒樋吊り具によれば、上述の構成となっているため、樋支持具本体と取付杆とを結合するための結合軸や、両部材を相互にスライド自在とするための操作体を用いなくてもよい。そのため、部品点数を減らせることができ、低コスト化を実現できる。また、リベット止めなどによる連結作業を必要としないので、両部材の結合および軒先等への施工を迅速に行える。
【００１１】
請求項２に記載の軒樋吊り具によれば、取付杆が幅方向に突出した抜け止め部を備えているため、樋支持具本体の長孔から取付杆が抜け出ることを防止できる。
【００１２】
請求項３に記載の軒樋吊り具によれば、圧入部を凹部に圧入して係合する構成であるため、取付杆と樋支持具本体とは相互に係止、固定され、施工後の軒樋のがたつきや外れを防止できる。
【００１３】
請求項４に記載の軒樋吊り具によれば、係合部と係合受部は噛合により係合する構造であるため、有段階による細かでずれのない調整が可能となる。
【図面の簡単な説明】
【００１４】
【図１】本発明の第１実施形態に係る軒樋支持具の分解斜視図および要部拡大断面図である。
【図２】（ａ）は軒樋支持具の組立て状態を示す斜視図である。（ｂ）は（ａ）におけるＸ−Ｘ線に対応した拡大断面図である。（ｃ）は（ｂ）におけるＹ−Ｙ線に対応した拡大断面図である。
【図３】本発明の第２実施形態に係る軒樋支持具の説明図である。（ａ）は軒樋吊り具の分解斜視図である。（ｂ）は軒樋吊り具の要部拡大平面図である。
【図４】本発明の第３実施形態に係る軒樋支持具の説明図である。（ａ）は軒樋吊り具の分解斜視図である。（ｂ）は軒樋吊り具の要部拡大平面図である。
【図５】本発明の他の３実施形態に係る軒樋吊り具の要部説明図である。（ａ）、（ｂ）は、係合部と係合受部の係合構造の２形態を示す縦断面図である。（ｃ）は取付杆の前端部（係合部および抜け止め部）の他の形態を示す部分斜視図である。
【図６】（ａ）〜（ｃ）は、軒樋吊り具の連結手順を示す一部断面側面図（簡略図）である。
【発明を実施するための形態】
【００１５】
以下に、本発明の実施形態について、添付図面を参照しながら説明する。
【００１６】
図１および図２は、本発明の第１実施形態に係る軒樋吊り具の説明図である。
【００１７】
この軒樋吊り具１は、軒樋前耳保持部２１と軒樋後耳保持部２２の間に長手方向に沿った長孔２３ａを有してなる樋支持具本体２０と、軒先に固定される取付杆１０とを備えている。
【００１８】
樋支持具本体２０は、取付杆１０に対し長孔２３ａに沿って進退自在にスライド移動できるようになっており、それにより樋支持具本体２０の出具合、つまり軒樋２の出具合を調節できるようになっている。
【００１９】
ついで、取付杆１０と樋支持具本体２０の両部材のスライドおよびそのスライドのロックについて、各部材の形状、構造とともに詳細に説明する。
【００２０】
取付杆１０は、ステンレス等の金属で製されており、軒先等に取付板３により固定される取付部１１と、その上端中央から前方に向けて延びた足杆１２とを備えている。この足杆１２の前方に位置する取付杆の前端部には、段落ちした連結片部１３が形成されている。
【００２１】
連結片部１３の先端には、樋支持具本体２０の裏面側に形成された凹部２４（図１の拡大断面図参照）に圧入嵌合する圧入部１４が、ネック部１７を介して形成されている。このネック部１７の幅寸法は、樋支持具本体２０の長孔２３ａの幅寸法よりも小さい。
【００２２】
圧入部１４は、底部１４ａと幅方向の両端から起立した起立片１４ｂ、１４ｂとを備えて断面コ字状に形成されている。圧入部１４の幅寸法は、足杆１２の幅寸法とほぼ同一とされ、樋支持具本体２０の幅寸法よりもやや小とされる。ようするに、圧入部１４は、その幅寸法が樋支持具本体２０の長孔２３ａの幅寸法よりも十分に大きくなっており、図２（ａ）に示すように両部材が連結され施工された状態では、圧入部１４は長孔２３ａから抜け出ないようになっている。つまり、両部材が結合した状態では、圧入部１４の幅方向の両端が抜け止め部１６として作用する。
【００２３】
また、それぞれの起立片１４ｂ、１４ｂの外側の面には、取付杆１０の長手方向に連続する凹凸（高さ方向に走る凹条、凸条）が形成されている。この連続凹凸は噛合部１５を構成する。
【００２４】
このように形成された噛合部１５を含む圧入部１４は、樋支持具本体２０に係合して連結するための係合部Ａを構成する。
【００２５】
樋支持具本体２０は、ステンレス等の金属で製された長板状のスライド板本体２３を備えており、その前端には軒樋２の前耳２ａを吊り下げ保持するための軒樋前耳保持部２１が折り曲げ形成され、後端には軒樋２の後耳２ｂを吊り下げ保持するための軒樋後耳保持部２２が形成されている。なお本例では、軒樋後耳保持部２２は別体の後耳保持片２２ａをリベット２２ｂで固着して構成されている。
【００２６】
軒樋前耳保持部２１と軒樋後耳保持部２２の間のスライド板本体２３の幅方向中央には、長手方向に沿って長孔２３ａが形成され、その幅方向の両端には上方に膨出してなるリブ２３ｂ、２３ｂが設けてある。そのリブ２３ｂから外側下方に延びてなる外壁部２３ｃの表裏面には、長孔２３ａの後部位置から長孔２３ａのやや前方位置にいたるまで連続した凹凸（高さ方向に走る凹条、凸条）が設けてある。なお、連続凹凸は外壁部２３ｃの少なくとも内面に設けてあればよい。
【００２７】
この連続凹凸は、取付杆１０の噛合部１５と噛合する噛合部２５を構成する。つまり、取付杆１０の噛合部１５と樋支持具本体２０の噛合部２５のそれぞれの凹凸は、同一ピッチで連続形成されている。この噛合部１５、２５は、所望の出具合位置でスライドをロックして両部材を連結するためのものであり、樋支持具本体２０側の噛合部２５は、位置調節可能に、長孔２３ａの長手方向のほぼ全長にわたり凹凸が連続形成してある。
【００２８】
スライド板本体２３の裏側は凹溝状となっており、その凹部２４内の幅方向の底部の両端にはリブ２３ｂ、２３ｂによる溝状の小凹部２４ａ、２４ａが形成されている（図１の拡大断面図参照）。このスライド板本体２３の裏側に形成された小凹部２４ａ、２４ａを含む凹部２４および噛合部２５が、取付杆１０の係合部Ａに係合する係合受部Ｂを構成する。
【００２９】
取付杆１０と樋支持具本体２０とは、図２（ａ）に示すように、取付杆１０の連結片部１３の圧入部１４が、長孔２３ａに上方より嵌挿された状態で結合される。図２（ａ）に示した結合状態は、取付杆１０の係合部Ａが樋支持具本体２０の係合受部Ｂに係合して、両部材の相互のスライドがロックされた状態（結合固定状態）となっている。なお、両部材の相互のスライドについては、図６の説明とともに後述する。
【００３０】
具体的には、図２（ａ）のＸ−Ｘ線に対応した図２（ｂ）の拡大断面図に示すように、取付杆１０の連結片部１３に形成された圧入部１４が樋支持具本体２０の凹部２４に嵌合（内嵌）し、さらに圧入部１４の起立片１４ｂが小凹部２４ａに嵌合する。そして、それとともに噛合部１５、２５同士が噛合することで、両部材はスライドがロックされた状態となる（図２（ｂ）のＹ−Ｙ線に対応した図２（ｃ）のさらなる拡大断面図を参照）。
【００３１】
このように、軒樋吊り具１は、取付杆１０の係合部Ａ（圧入部１４と噛合部１５）と樋支持具本体２０の係合受部Ｂ（凹部２４と噛合部２５）との係合により両部材のスライドがロックされる構成であるため、取付杆１０と樋支持具本体２０とを結合するための結合軸や、両部材を相互にスライド自在とし、スライドロックするための操作体を用いなくても軒樋吊り具１を構成することができる。また、軒樋吊り具１の部品点数を少なくでき、製造コストを低減化でき、それによって安価な軒樋吊り具を提供することができる。
【００３２】
また、本実施形態では圧入部１４と凹部２４との圧入嵌合によりスライドをロックする構成であるため、取付杆１０と樋支持具本体２０とを相互に簡易に固定でき、施工後の軒樋のがたつきや外れを防止できる。さらに、本実施形態では、両部材が噛合部１５、２５を有した構造となっているため、所定ピッチによる有段階による細かでずれのない出具合調整を行える。
【００３３】
また、施工後に、軒樋２が樋支持具本体２０に支持され、軒樋２の荷重が軒樋吊り具１にかかれば、両部材は相互に密接して固定された状態になり、軒樋２が複数の軒樋吊り具１に分散支持される構成でもあるため、両部材がずれたり分離したりするおそれはない。かりに両部材がずれたとしても、取付杆１０には抜け止め部１６が形成されているため、両部材が分離するおそれはない。
【００３４】
なお、係合部Ａと係合受部Ｂとの係合については、本実施形態の例のように、圧入部１４の凹部２４への圧入と、噛合部１５、２５同士の噛合との協働によってなされるものでもよいが、いずれか一方で係合する構成であってもよい。少なくとも両部材のスライドがロックできる構成であればよい。また、圧入ではなくたんなる嵌合であってもよいが、その嵌合によりスライド方向への移動が禁止される構成とすることが望ましい。
【００３５】
以下に、第２、第３およびその他の実施形態に係る軒樋吊り具１について説明する。なお、以下に示す種々の例は、取付杆１０の連結片部１３が樋支持具本体２０の長孔２３ａに上方より嵌挿された状態で、取付杆１０と樋支持具本体２０とが長孔２３ａに沿って相互にスライド自在となる点については、図１に示した軒樋吊り具１と同様である。
【００３６】
図３に示した軒樋吊り具１は、取付杆１０の連結片部１３におけるネック部１７の前方に、樋支持具本体２０の長孔２３ａに下方より嵌合するブロック状の嵌合部１８が形成されている。図３（ａ）に示すように、嵌合部１８の幅方向の両側面には、取付杆１０の長手方向に連続する凹凸（高さ方向に走る凹条、凸条）が形成されて噛合部１５が形成されている。また嵌合部１８の下部には、両幅方向に板状に突出した抜け止め部１６が形成されている。
【００３７】
一方、樋支持具本体２０の長孔２３ａの長手方向の向かい合う両内側面には、図３（ａ）に示すように、長孔２３ａのほぼ全長にわたり、連続凹凸で構成された噛合部２５が形成されている。
【００３８】
このように本実施形態の軒樋吊り具１は、取付杆１０が噛合部１５を備えた嵌合部１８を係合部Ａとして有し、一方、樋支持具本体２０が噛合部２５を備えた長孔２３ａを係合受部Ｂとして有した構成となっている。このような係合部Ａと係合受部Ｂの構成により、スライドがロックできるようになっている。
【００３９】
このような噛合部１５を有した嵌合部１８と、噛合部２５を有した長孔２３ａとの係合構造によれば、有段階による細かでずれのない出具合調整が可能となる。なお、両部材を結合、固定するためには、嵌合部１８が長孔２３ａに圧入等により係止される構造とすることが望ましい。
【００４０】
このような相互に係止しない係合構造によれば、取付杆１０と樋支持具本体２０とは上下方向には離反しやすいが、噛合部１５、２５同士が係合している以上、少なくとも長手方向への移動は禁止され得る。また、軒樋２（図１参照）が樋支持具本体２０に支持され、軒樋２の荷重が軒樋吊り具１にかかった場合には、両部材は相互に密接して固定された状態になり、軒樋２が複数の軒樋吊り具１に分散支持されるものでもあるため、本実施形態において示したような噛合部１５、２５同士の噛合構造だけであっても、軒樋２（図１参照）の施工後に両部材が分離するような問題が発生するおそれはない。また、取付杆１０には抜け止め部１６が設けてあるため、さらに確実に分離を回避することができる。
【００４１】
なお、取付杆１０および樋支持具本体２０における他の構成については、図１のものと同様であり、図３（ａ）に全体図を示すとともに、各部に符号を付して、その説明は省略する。
【００４２】
図４に示した軒樋吊り具１は、係合部Ａおよび係合受部Ｂのそれぞれが噛合部１５、２５よりなる。つまり、図４（ａ）に示すように、取付杆１０の連結片部１３には、長手方向に連続する凹凸（幅方向に走る凹条、凸条）が上面に形成された噛合板（噛合部１５）が形成され、一方、樋支持具本体２０のスライド板本体２３における長孔２３ａの両側の板面には、長孔２３ａのほぼ全長にわたり、連続凹凸で構成された噛合部２５が形成されている。そして、図４（ｂ）に示すように、取付杆１０と樋支持具本体２０とは、上下に配された噛合部１５、２５同士の噛合により、両部材の相互のスライドがロックされるようになっている。
【００４３】
このような噛合部１５、２５同士の重ね合わせによる係合構造によれば、有段階による細かでずれのない調整が可能となる。
【００４４】
このような重ね合わせの噛合構造による係合構造によれば、取付杆１０と樋支持具本体２０とは上下方向には容易に離反するが、噛合部１５、２５同士が係合している以上、少なくとも長手方向への移動は禁止され得る。また、軒樋２（図１参照）が樋支持具本体２０に支持され、軒樋２の荷重が軒樋吊り具１にかかった場合には、両部材は相互に密接して固定された状態になり、軒樋２が複数の軒樋吊り具１に分散支持される構成でもあるため、このような噛合部１５、２５同士の噛合構造だけであっても施工後に両部材が分離するような問題は発生するおそれはない。また、取付杆１０には抜け止め部１６が設けてあるため、さらに確実に分離を回避することができる。
【００４５】
なお、取付杆１０および樋支持具本体２０における他の構成については、図１のものと同様であり、図４（ａ）に全体図を示すとともに、各部に符号を付して、その説明は省略する。
【００４６】
以上に示した複数の実施形態のものは、噛合部１５、２５（連続凹凸）同士の噛合によりスライドのロックに寄与する構成となっているが、係合部Ａ、係合受部Ｂの一方に１または複数の突起を設け、他方に突起が嵌合する複数の連続する丸孔などの穴部を設けた構成としてもよい。この構成によれば、突起と穴部との嵌合であるため高さ方向のずれも防止できる。
【００４７】
ついで、他の種々の実施形態について、図５（ａ）〜（ｃ）を参照して説明する。これらのものはいずれも、スライドをロックする作用を担う係合部Ａと係合受部Ｂの係合構造が種々異なる。
【００４８】
図５（ａ）の軒樋吊り具１は、取付杆１０の連結片部１３に設けたコ字状の係合部Ａが樋支持具本体２０のリブ２３ｂ、２３ｂ（外壁部２３ｃ、２３ｃ）（係合受部Ｂ）を外嵌することにより両部材のスライドがロックされるようになっている。図５（ｂ）のものは、図１に示したものと類似した内嵌構造であり、取付杆１０の連結片部１３に設けたコ字状の係合部Ａが、樋支持具本体のリブ２３ｂ、２３ｂ（外壁部２３ｃ、２３ｃ）間の係合受部Ｂ（凹部２４）に内嵌することにより両部材のスライドがロックされるようになっている。図５（ａ）、（ｂ）の軒樋吊り具１、１については、さらに図１に示したような噛合部１５、２５を設けたものとしてもよい。
【００４９】
図５（ｃ）の軒樋吊り具１は、取付杆１０の係合部Ａと抜け止め部１６とが前後方向に分離形成された例である。係合部Ａは、図１に示した圧入部１４と同様にコ字状をなし、幅方向の両端に噛合部１５を有した形状であり、樋支持具本体２０の長孔２３ａに係合するようになっている。なお、長孔２３ａは図３に示したものと同様に噛合部２５を内側面に有した形状となっているが、それについては図示を省略する。
【００５０】
つぎに、以上に示した種々の軒樋吊り具１の連結手順について、図６（ａ）〜（ｃ）を参照して簡単に説明する。なお、図６には、図１に示した形状の軒樋吊り具１を簡略的に示した。
【００５１】
まず、取付杆１０の連結片部１３（前端部）を下方に向け、その表裏面を横方向に向け、その表裏面が樋支持具本体２０の幅方向の両内側面を向くように、樋支持具本体２０の長孔２３ａに上方より挿入する（図６（ａ）参照）。そして、係合部Ａが長孔２３ａの下方に抜け、ネック部１７が長孔２３ａの位置に配するようにする（図６（ｂ）参照）。
【００５２】
その状態か、さらに取付杆１０を横方向に回転させた状態か、さらに取付杆１０を前方向に回転させて連結片部１３を前方に配するように傾斜させた状態にして、両部材を長孔２３ａに沿ってスライド相対移動させながら樋支持具本体２０の出具合を調節する（図６（ｃ）参照、図中の丸付き１）。位置が定まれば、ネック部１７を支点として取付杆１０の連結片部１３を樋支持具本体２０の裏面に近づけるように回転させ、両部材の係合部Ａ、係合受部Ｂを係合させる（図６（ｃ）参照、図中の丸付き２）。
【００５３】
このように樋支持具本体２０の取付杆１０に対する出具合を調節し両部材を係合連結することで、軒樋２を軒先から所望の出具合位置に取り付けることができる。なお、図６に示した連結手順は、取付杆１０を軒先に取り付けた状態で行うこともできるし、取付杆１０を軒先に取り付ける前にしておくこともできる。
【００５４】
以上のように、図１〜図５に示した実施形態の軒樋吊り具１によれば、取付杆１０と樋支持具本体２０とを簡単にスライド調節可能に連結することができる。特に、リベット止めなどによる連結作業を必要としないので、取付杆１０を軒先に取り付けてから樋支持具本体２０のスライド調節をした後に、スライドをロックして、両部材を簡単に連結することができる。
【符号の説明】
【００５５】
１        軒樋吊り具
２        軒樋
３        取付板
１０      取付杆
１１      取付部
１２      足杆
１３      連結片部（前端部）
Ａ        係合部
１４      圧入部
１４ａ    底部
１４ｂ    起立片
１５      噛合部
１６      抜け止め部
１７      ネック部
１８      嵌合部
２０      樋支持具本体
２１      軒樋前耳保持部
２２      軒樋後耳保持部
２３      スライド板本体
Ｂ        係合受部
２３ａ    長孔
２３ｂ    リブ
２３ｃ    外壁部
２４      凹部
２４ａ    小凹部
２５      噛合部
【要約】
【課題】部品点数を少なくして低コスト化でき、軒先等への施工も簡単に行える軒樋吊り具を提供する。
【解決手段】軒樋吊り具１は、取付杆１０は前端部に係合部Ａを備えている一方、樋支持具本体２０は係合部Ａが係合する係合受部Ｂを備えており、係合部Ａが長孔２３ａに上方より嵌挿された状態で、取付杆１０と樋支持具本体２０とが長孔２３ａに沿って相互にスライド自在となる一方、係合部Ａが係合受部Ｂに係合することでスライドがロック状態となる構成となっている。
【選択図】図１【図１】
0005630793.tif 000002
【図２】
0005630793.tif 000003
【図３】
0005630793.tif 000004
【図４】
0005630793.tif 000005
【図５】
0005630793.tif 000006
【図６】
0005630793.tif 000007